(57)【要約】【課題】簡易な装置構成により、光照射装置から光を照射することで生じる熱による装置部品の形状の変形を防止し、かつ、インクの増粘あるいは硬化を防止するとともに安定した速度でインクを吐出させて良好な画像を得ることができるインクジェットプリンタを提供することを目的とする。【解決手段】光照射装置８，１３，１６，２１と記録ヘッド６，１２との間に、光照射装置８，１３，１６，２１から光を照射することにより発生する熱を遮断する断熱部材９を設けた。【選択図】    図１
2004314544.tif 000002
【特許請求の範囲】
【請求項１】
光を照射することにより硬化するインクを吐出するノズルを形成してなる記録ヘッドと、インクを硬化させる光を照射する光照射装置とを有し、前記ノズルから吐出したインクを記録媒体に着弾させた後、前記記録媒体に前記光照射装置により光を照射することでインクを硬化させて、画像を形成するインクジェットプリンタにおいて、前記光照射装置と前記記録ヘッドとの間に、前記光照射装置から光を照射することにより発生する熱を遮断する断熱部材を設けたことを特徴とするインクジェットプリンタ。
【請求項２】
前記断熱部材は、前記記録ヘッドの前記光照射装置と近接する面に設けたことを特徴とする請求項１に記載のインクジェットプリンタ。
【請求項３】
前記記録ヘッドは、前記記録媒体の上方を前記記録媒体の幅方向に往復移動しながら前記記録媒体に前記インクを吐出することにより画像を形成するシリアルヘッド方式であることを特徴とする請求項１または請求項２に記載のインクジェットプリンタ。
【請求項４】
前記記録ヘッドは、前記記録媒体の全幅にわたって前記記録媒体の上方に設けられており、搬送されてくる前記記録媒体に対して前記インクを吐出することにより画像を形成するラインヘッド方式であることを特徴とする請求項１または請求項２に記載のインクジェットプリンタ。
【請求項５】
前記光照射装置は、前記記録ヘッドの上方に前記記録媒体の全幅が照射範囲となるように設けられていることを特徴とする請求項１〜４のいずれか一項に記載のインクジェットプリンタ。
【請求項６】
前記インクは紫外線を照射することにより硬化する紫外線硬化型のインクであり、前記光照射装置は、紫外線を発光する紫外線照射装置であることを特徴とする請求項１〜５のいずれか一項に記載のインクジェットプリンタ。
【請求項７】
前記インクは、カチオン重合系のインクであることを特徴とする請求項６に記載のインクジェットプリンタ。
【発明の詳細な説明】
【０００１】
【発明の属する技術分野】
本発明は、インクジェットプリンタに係り、特に、光を照射させることにより硬化するインクを使用したインクジェットプリンタに関するものである。
【０００２】
【従来の技術】
近年、グラビア印刷方式やフレキソ印刷方式などの製版を必要とする方式に比較して、簡便にかつ安価に画像を形成することができるという理由から、インクジェットプリンタが多く用いられるようになってきている。
【０００３】
また、このようなインクジェットプリンタを用いて商品や商品の包装に画像記録を行う分野では、商品や商品の包装に、樹脂や金属などのインク吸収性のない材料を用いることが多い。そして、このようなインク吸収性のない材料を記録媒体として用い、この記録媒体に対してインクを定着させるために、光硬化性インクを用い、このインクを記録媒体に吐出した後、例えば、紫外線などの光を照射してインクを硬化定着させるインクジェットプリンタが知られている（例えば、特許文献１参照）。
【０００４】
このようなインクジェットプリンタとして、光を照射することにより硬化するインクを吐出するノズルが形成された記録ヘッドを走査方向に往復自在に配設し、この記録ヘッドから離れた位置に記録ヘッドから吐出されたインクに対して光を照射する光照射装置を設けるとともに、この光照射装置から発せられた光を記録ヘッドの走査方向下流側に誘導する光ファイバーを設けたインクジェットプリンタが知られている（例えば、特許文献１参照）。
【０００５】
また、光を照射することにより硬化するインクを吐出するノズルが形成された記録ヘッドを走査方向に往復自在に配設し、この記録ヘッドの両側部や上方に記録ヘッドから吐出されたインクに対して光を照射する光照射装置を記録ヘッドに近接して設けたインクジェットプリンタも知られている。
【０００６】
【特許文献１】
特開２００１−３１０４５４号公報
【０００７】
【発明が解決しようとする課題】
しかし、従来の記録ヘッドから離れた位置に光照射装置を設けたインクジェットプリンタ（特許文献１）では、装置が大型化する上に装置構成が複雑になり、製造コストや運転コスト、保守経費がかかるという問題があった。
【０００８】
また、従来の記録ヘッドの両側部や上方に光照射装置を設けたインクジェットプリンタでは、光照射装置から光が照射させることにより熱が発生し、光照射装置の近傍では温度が上昇するため、記録ヘッド等の装置構成部品の形状が、温度の変化により変形してしまうという問題があった。
【０００９】
さらに、紫外線により硬化するインクとしては、ラジカル重合系インクや、カチオン重合系インクが知られているが、このうち、特にカチオン重合系インクは、高温状態でも硬化する性質を有している。そのため、カチオン重合系インクを使用した場合は、光照射装置から光を照射することによる発熱により、記録ヘッド内のインクが増粘あるいは硬化し、インクの吐出不良が生じて、この結果、画質が低下するという問題があった。また、インクが増粘あるいは硬化しない温度領域においても、インクの吐出速度は温度に依存し、温度の上昇によりインクの吐出速度が増加して画質が低下するという問題があった。
【００１０】
そこで、本発明は、簡易な装置構成により、光照射装置から光を照射することで生じる熱による装置部品の形状の変形を防止し、かつ、インクの増粘あるいは硬化を防止するとともに安定した速度でインクを吐出させて良好な画像を得ることができるインクジェットプリンタを提供することを目的とする。
【００１１】
【課題を解決するための手段】
上記課題を解決するために本発明によるインクジェットプリンタは、光を照射することにより硬化するインクを吐出するノズルを形成してなる記録ヘッドと、インクを硬化させる光を照射する光照射装置とを有し、前記ノズルから吐出したインクを記録媒体に着弾させた後、前記記録媒体に前記光照射装置により光を照射することでインクを硬化させて、画像を形成するインクジェットプリンタにおいて、前記光照射装置と前記記録ヘッドとの間に、前記光照射装置から光を照射することにより発生する熱を遮断する断熱部材を設けることを特徴とする。
【００１２】
請求項１に記載の発明によれば、光照射装置と記録ヘッドとの間に断熱部材が設けられているため、この断熱部材により光照射装置から光を照射することにより発生する熱が遮断され、記録ヘッドに伝わる熱が低減される。
【００１３】
また、請求項２に記載の発明は、請求項１に記載のインクジェットプリンタにおいて、前記断熱部材は、前記記録ヘッドの前記光照射装置と近接する面に設けたことを特徴とする。
【００１４】
請求項２に記載の発明によれば、記録ヘッドの光照射装置と近接する面には断熱部材が設けられているため、この断熱部材により光照射装置から光を照射することにより発生する熱が遮断され、記録ヘッドに伝わる熱が低減される。
【００１５】
また、請求項３に記載の発明は、請求項１または請求項２に記載のインクジェットプリンタにおいて、前記記録ヘッドは、前記記録媒体の上方を前記記録媒体の幅方向に往復移動しながら前記記録媒体に前記インクを吐出することにより画像を形成するシリアルヘッド方式であることを特徴とする。
【００１６】
請求項３に記載の発明によれば、シリアルヘッド方式の記録ヘッドであっても、記録ヘッドと光照射装置との間に断熱部材が設けられているため、記録ヘッドに伝わる熱が低減される。
【００１７】
また、請求項４に記載の発明は、請求項１または請求項２に記載のインクジェットプリンタにおいて、前記記録ヘッドは、前記記録媒体の全幅にわたって前記記録媒体の上方に設けられており、搬送されてくる前記記録媒体に対して前記インクを吐出することにより画像を形成するラインヘッド方式であることを特徴とする。
【００１８】
請求項４に記載の発明によれば、ラインヘッド方式の記録ヘッドであっても、記録ヘッドと光照射装置との間に断熱部材が設けられているため、記録ヘッドに伝わる熱が低減される。
【００１９】
請求項５に記載の発明は、請求項１〜４のいずれか一項に記載のインクジェットプリンタにおいて、前記光照射装置は、前記記録ヘッドの上方に前記記録媒体の全幅が照射範囲となるように設けられていることを特徴とする。
【００２０】
請求項５に記載の発明によれば、記録ヘッドの上方からインクが着弾した記録媒体に対して、光照射装置により光が照射されるが、記録ヘッドと光照射装置との間に断熱部材が設けられているため、記録ヘッドに伝わる熱が低減される。
【００２１】
請求項６に記載の発明は、請求項１〜５のいずれか一項に記載のインクジェットプリンタにおいて、前記インクは紫外線を照射することにより硬化する紫外線硬化型のインクであり、前記光照射装置は、紫外線を発光する紫外線照射装置であることを特徴とする。
【００２２】
請求項６に記載の発明によれば、記録ヘッドと光照射装置との間に断熱部材が設けられているため、この断熱部材により紫外線照射装置から紫外線を照射することにより発生する熱が遮断され、記録ヘッドに伝わる熱が低減される。
【００２３】
請求項７に記載の発明は、請求項６に記載のインクジェットプリンタにおいて、前記インクは、カチオン重合系のインクであることを特徴とする。
【００２４】
請求項７に記載の発明によれば、カチオン重合系インクは酸素阻害作用をうけることがないため、低照度の紫外線で良好に硬化する。
【００２５】
【発明の実施の形態】
以下、本発明の実施形態を図１から図５を参照して説明する。
【００２６】
図１は本発明に係るインクジェットプリンタの実施の一形態を示したもので、このインクジェットプリンタ１は、シリアルヘッド方式のインクジェットプリンタ１である。
【００２７】
このインクジェットプリンタ１は、図１に示すように、棒状のガイドレール２を有しており、このガイドレール２には、キャリッジ３が支持されている。このキャリッジ３は、図示しないキャリッジ駆動機構によって記録媒体４の幅方向である主走査方向Ｘをガイドレール２に沿って往復移動するようになっている。
【００２８】
キャリッジ３の移動可能範囲の一領域は、記録媒体４に記録を行う記録領域とされており、この記録領域のキャリッジ３の下方には、平板状の部材で構成され、記録媒体４を非記録面から支持するプラテン５が設けられている。
【００２９】
キャリッジ３には、記録媒体４に対して、イエロー（Ｙ）、マゼンタ（Ｍ）、シアン（Ｃ）、ブラック（Ｋ）の各色のインクを吐出するノズル（図示しない）が設けられた記録ヘッド６が搭載されている。
【００３０】
なお、本実施の形態で使用するインクは、紫外線を照射することにより硬化する紫外線硬化型のインクである。紫外線硬化型のインクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。しかしながら、酸素による重合反応の阻害作用が少ない又は無いカチオン重合系インクのほうが機能性、汎用性に優れるため、特に、カチオン重合系インクを用いることが好ましい。
【００３１】
また、記録媒体４としては、普通紙、再生紙、光沢紙等の各種紙、各種布地、各種不織布、樹脂、金属、ガラス等の材質からなる記録媒体４が適用可能である。特に、本実施形態で用いられる記録媒体４としては、所謂軟包装に用いられる透明又は不透明な非吸収性の樹脂製フィルムを適用することができる。
【００３２】
また、キャリッジ３内であって、これら記録ヘッド６の主走査方向Ｘにおける各両側部には、ノズルから記録媒体４に吐出されたインクに対して、紫外線を照射する光照射装置８がそれぞれ設けられている。この光照射装置８には、紫外線を発光する光源７が、副走査方向Ｙにおける照射範囲が少なくとも副走査方向Ｙにおけるノズル列の長さと同じになるように配設されている。なお、光源７としては、高圧水銀ランプ、メタルハライドランプ、熱陰極管、陰極管、ＬＥＤ等が適用される。
【００３３】
そして、各記録ヘッド６の光照射装置８と隣接する面には、光照射装置８から紫外線が照射されることにより発生する熱を遮断する断熱部材９がそれぞれ設けられている。
【００３４】
また、インクジェットプリンタ１には、主走査方向Ｘと直交する副走査方向Ｙに記録媒体８を送るための搬送機構（図示しない）が設けられている。搬送機構は、画像記録時において、キャリッジ３の動作に合わせて、記録媒体４の搬送と停止とを繰り返して記録媒体４を間欠的に搬送する。
【００３５】
次に、本実施形態の作用について説明する。
【００３６】
記録媒体４に画像を形成する際には、キャリッジ３の駆動機構が作動してキャリッジ３が記録媒体４の上方を主走査方向Ｘに往復移動するとともに、所定の画像情報に基づいてキャリッジ３に搭載された記録ヘッド６のノズルから所定の色のインクが吐出される。吐出されたインクは順次記録媒体４に着弾する。この記録媒体４に着弾したインクに対して、キャリッジ３に設けられた光照射装置９により、紫外線が順次照射され、インクが記録媒体４上で硬化する。この間、搬送機構が作動して記録媒体４が副走査方向Ｙに搬送されることにより、画像が記録媒体４に形成される。
【００３７】
このとき、光照射装置８から紫外線を照射させることによる光照射装置８自体の発熱や、あるいは光照射装置８から照射され記録媒体４上で反射した光による発熱によって光照射装置８の近傍では温度が上昇しているが、各記録ヘッド６の光照射装置８と隣接する面には、断熱部材９が設けられているため、記録ヘッド６内のインクには光照射装置８周辺からの熱は伝わりにくい。
【００３８】
以上より、本実施形態によれば、記録ヘッド６の光照射装置８に隣接する面に断熱部材９が設けられており、この断熱部材９により光照射装置８から光を照射することにより発生する熱が遮断され、記録ヘッド６に伝わる熱が低減されるため、簡易な装置構成により、装置部品の形状の変形を防止することができ、インクの増粘あるいは硬化を防止するとともに安定した速度でインクを吐出させて良好な画像を得ることができる。
【００３９】
なお、本実施形態では、紫外線の被照射により硬化するインクを用いたが、必ずしもこれには限定されず、紫外線以外の光の被照射により硬化するものであってもよい。ここでいう「光」とは、広義の光であって、紫外線、電子線、Ｘ線、可視光線、赤外線等の電磁波を含むものである。すなわち、インクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを用いる場合は、光源７に代えて、その光を照射する光源を適用する。
【００４０】
図２は本発明に係るインクジェットプリンタの第２実施形態を示したもので、このインクジェットプリンタ１０は、ラインヘッド方式のインクジェットプリンタ１０である。なお、第１実施形態と同一の符号を付したものは、第１実施形態と同様の構成を有するものである。
【００４１】
インクジェットプリンタ１０内の所定位置には、図２に示すように、箱状の支持部材１１が設けられている。この支持部材１１の下方は、記録媒体４に対してインクを吐出させて画像を記録する記録領域とされており、この記録領域には、平板状の部材で構成され記録媒体４を非形成面から支持するプラテン５が設けられている。
【００４２】
また、インクジェットプリンタ１０には、プラテン５に対して記録媒体４を搬送するとともに、プラテン５上で画像が形成された記録媒体４をプラテン５から搬出する搬送機構（図示しない）が設けられている。
【００４３】
支持部材１１には、イエロー（Ｙ）、マゼンタ（Ｍ）、シアン（Ｃ）、ブラック（Ｋ）の各色のインクを吐出するノズル（図示しない）を形成してなる記録ヘッド１２が搭載されている。これらの記録ヘッド１２は、記録媒体４の略全幅にわたる長さを有し、記録媒体４の搬送方向Ｚに直交するように設けられたラインヘッド方式の記録ヘッド１２である。
【００４４】
これら記録ヘッド１２の搬送方向Ｚにおける下流側には、ノズルから記録媒体４に吐出されたインクに対して紫外線を照射する光照射装置１３がそれぞれ設けられている。この光照射装置１３には、光源７が、搬送方向Ｚと直行する方向における照射範囲が少なくとも搬送方向Ｚと直行する方向におけるノズル列の長さと同じになるように配置されている。
【００４５】
そして、各記録ヘッド１２の光照射装置１３と隣接する面には、光照射装置１３から紫外線が照射されることにより発生する熱を遮断する断熱部材９がそれぞれ設けられている。
【００４６】
次に、本実施形態の作用について説明する。
【００４７】
搬送機構が作動して記録媒体４が搬送されるとともに、所定の画像情報に基づいて支持部材１１に搭載された記録ヘッド１２のノズル５から所定の色のインクを吐出される。吐出されたインクは順次記録媒体４に着弾する。この記録媒体４に着弾したインクに対して、支持部材１１に設けられた光照射装置１３により、紫外線が順次照射され、インクが記録媒体４上で硬化する。この間、搬送機構により記録媒体４が搬送されていくことにより、記録媒体４に画像が形成される。
【００４８】
このとき、光照射装置１３から紫外線を照射させることによる光照射装置１３自体の発熱や、あるいは光照射装置１３から照射され記録媒体４上で反射した光による発熱によって光照射装置１３の近傍では温度が上昇しているが、各記録ヘッド１２の光照射装置１３と隣接する面には、断熱部材９が設けられているため、記録ヘッド１２内のインクには光照射装置１３周辺からの熱は伝わりにくい。
【００４９】
以上より、本実施形態に係るインクジェットプリンタ１０によれば、記録ヘッド１２の光照射装置１３に隣接する面に断熱部材９が設けられており、この断熱部材９により光照射装置１３から光を照射することにより発生する熱が遮断され、記録ヘッド１２に伝わる熱が低減されるため、簡易な装置構成により、装置部品の形状の変形を防止することができ、インクの増粘あるいは硬化を防止するとともに安定した速度でインクを吐出させて良好な画像を得ることができる。
【００５０】
図３は、本発明に係るインクジェットプリンタの第３実施形態を示したもので、このインクジェットプリンタ１５は、シリアルヘッド方式のインクジェットプリンタである。なお、第１実施形態と同一の符号を付したものは、第１実施形態と同様の構成を有するものである。
【００５１】
インクジェットプリンタ１５には、イエロー（Ｙ）、マゼンタ（Ｍ）、シアン（Ｃ）、ブラック（Ｋ）の各色の光硬化型のインクを吐出する記録ヘッド６が搭載され、図示しないキャリッジ３駆動機構により走査方向Ｘに往復自在にガイドレール２に支持されたキャリッジ３が設けられているとともに、副走査方向Ｙに記録媒体４を送るための搬送機構（図示しない）が設けられている。
【００５２】
また、キャリッジ３の上方には、記録ヘッド６から記録媒体４に吐出されたインクに対して紫外線を照射する光照射装置１６が設けられている。この光照射装置１６には、主走査方向Ｘにおける照射範囲が記録媒体４の全幅にわたり、副走査方向Ｙにおける照射範囲が少なくとも副走査方向Ｙのノズル列の長さと同じになるように、光源７が配設されている。
【００５３】
そして、キャリッジ３の上面には、上方の光照射装置１６から紫外線が照射されることにより発生する熱を遮断する断熱部材９が設けられている。
【００５４】
次に、本実施形態の作用について説明すると、記録媒体４に画像を形成する際には、キャリッジ３が主走査方向Ｘに往復移動するとともに、所定の画像情報に基づいて記録ヘッド６から所定の色のインクが吐出されて順次記録媒体４に着弾する。この記録媒体４に着弾したインクに対して、光照射装置１６により紫外線が順次照射され、インクが記録媒体４上で硬化する。
【００５５】
このとき、キャリッジ３には、上方から光照射装置１６より紫外線が照射されており、キャリッジ３の上面近傍は温度が上昇しているが、キャリッジ３の上面には、断熱部材９が設けられているため、記録ヘッド６内のインクには光照射装置１６周辺からの熱は伝わりにくい。
【００５６】
以上より、本実施形態によれば、キャリッジ３の上面には断熱部材９が設けられており、この断熱部材９により光照射装置１６から紫外線を照射することによって発生する熱が遮断され、記録ヘッド６に伝わる熱が低減されるため、簡易な装置構成により、装置部品の形状の変形を防止することができ、インクの増粘あるいは硬化を防止するとともに安定した速度でインクを吐出させて良好な画像を得ることができる。
【００５７】
なお、本実施形態においては、断熱部材９をキャリッジ３の上面にのみ設けるようにしたが、さらに、キャリッジ３の側面にも設けるようにしてもよい。これにより、キャリッジ３の側部を通過する紫外線により発生した熱が、記録ヘッド６に伝わりにくくなる。
【００５８】
図４および図５は、本発明に係るインクジェットプリンタの第４実施形態を示したもので、このインクジェットプリンタ２０は、ラインヘッド方式のインクジェットプリンタである。なお、第１実施形態および第２実施形態と同一の符号を付したものは、第１実施形態および第２実施形態と同様の構成を有するものである。
【００５９】
図４に示すように、インクジェットプリンタ２０内の所定位置には、イエロー（Ｙ）、マゼンタ（Ｍ）、シアン（Ｃ）、ブラック（Ｋ）の各色のインクを吐出する記録ヘッド１２を搭載する箱状の支持部材１１が設けられているとともに、インクジェットプリンタ２０には、これら支持部材１１の下方の記録領域に対して、記録媒体４を送るための搬送機構（図示しない）が設けられている。これらの記録ヘッド１２は、記録媒体４の略全幅にわたる長さを有しており、記録媒体４の搬送方向Ｚに直交するように、搬送方向Ｚにおける下流側に所定の間隔をおいて、支持部材１１に搭載されている。
【００６０】
また、支持部材１１の上方には、記録ヘッド１２から記録媒体４に吐出されたインクに対して紫外線を照射する光照射装置２１が設けられている。この光照射装置２１には、搬送方向Ｚにおける照射範囲が少なくとも支持部材１１の搬送方向Ｚの長さと同じになり、搬送方向Ｚと直交する方向照射範囲が記録媒体４の全幅にわたるように、光源７が配設されている。
【００６１】
そして、支持部材１１の上面及び下面には、図５に示すように、支持部材１１の上面から下面にかけて連通され、記録ヘッド１２より吐出されて記録媒体４上に着弾したインクに対して上方の光照射装置２１から光を照射する照射口２２が形成されている。この照射口２２は、各記録ヘッド１２の搬送方向Ｚにおける下流側にそれぞれ４つ設けられている。
【００６２】
また、支持部材１１の上面には、紫外線が照射されることにより発生する熱を遮断する断熱部材９が、照射口２２を避けて設けられている。
【００６３】
次に、本実施形態の作用について説明すると、搬送機構により搬送されてくる記録媒体４に対して、所定の画像情報に基づいて記録ヘッド１２から所定の色のインクが吐出され、記録媒体４に順次着弾する。支持部材１１の上方では、光照射装置２１が点灯しており、照射口２２を通過した紫外線が、記録媒体４に着弾したインクに対して順次照射され、インクが記録媒体４上で硬化する。
【００６４】
このとき、支持部材１１には、上方から光照射装置２１より紫外線が照射されており、支持部材１１の上面近傍は温度が上昇しているが、支持部材１１の上面には、断熱部材９が設けられているため、記録ヘッド１２内のインクには熱は伝わりにくい。
【００６５】
以上より、本実施形態によれば、支持部材１１の上面には断熱部材９が設けられており、この断熱部材９により、光照射装置２１から紫外線を照射することによって発生する熱が遮断され、記録ヘッド１２に伝わる熱が低減されるため、簡易な装置構成により、装置部品の形状の変形を防止することができ、インクの増粘あるいは硬化を防止するとともに安定した速度でインクを吐出させて良好な画像を得ることができる。
【００６６】
なお、本実施形態においては、断熱部材９を支持部材１１の上面にのみ設けるようにしたが、さらに、各記録ヘッド１２の側面にも設けるようにしてもよい。これにより、照射口２２を通過する紫外線により発生した熱、あるいは光照射装置２１から照射され記録媒体４上で反射した紫外線により発生した熱が、記録ヘッド１２に伝わりにくくなる。
【００６７】
【発明の効果】
請求項１に記載の発明によれば、光照射装置と前記記録ヘッドとの間に断熱部材が設けられており、この断熱部材により光照射装置から光を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【００６８】
請求項２に記載の発明によれば、記録ヘッドの光照射装置に近接する面に断熱材が設けられており、この断熱部材により光照射装置から光を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【００６９】
請求項３に記載の発明によれば、シリアルヘッド方式の記録ヘッドにおいても、断熱部材により光照射装置から光を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【００７０】
請求項４に記載の発明によれば、ラインヘッド方式の記録ヘッドにおいても、断熱部材により光照射装置から光を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【００７１】
請求項５に記載の発明によれば、光照射装置が記録ヘッドの上方に設けられている場合においても、断熱部材により光照射装置から光を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【００７２】
請求項６に記載の発明によれば、紫外線によりインクを硬化させる場合においても、断熱部材により紫外線照射装置から紫外線を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【００７３】
請求項７に記載の発明によれば、より低照度の紫外線によりインクを硬化させて良好な画像を得ることができる。
【図面の簡単な説明】
【図１】本発明によるインクジェットプリンタの一実施形態の構成を示す図である。
【図２】本発明によるインクジェットプリンタの第２実施形態の構成を示す図である。
【図３】本発明によるインクジェットプリンタの第３実施形態の構成を示す図である。
【図４】本発明によるインクジェットプリンタの第４実施形態の構成を示す図である。
【図５】第４実施形態に係るインクジェットプリンタの支持部材の構成を示す斜視図である。
【符号の説明】
１，１０，１５，２０    インクジェットプリンタ
４                      記録媒体
６，１２                記録ヘッド
８，１３，１６，２１    光照射装置
９                      断熱部材
【図１】
2004314544.tif 000003
【図２】
2004314544.tif 000004
【図３】
2004314544.tif 000005
【図４】
2004314544.tif 000006
【図５】
2004314544.tif 000007